【事件の表示】
　特許第２９６２３０７号「インクカセット未装着表示方法」の請求項１に係る特許に対する特許異議の申立てについて、次のとおり決定する。
【結　論】
　訂正を認める。
　特許第２９６２３０７号の請求項１に係る特許を取り消す。
【理　由】
［１］手続の経緯
　本件特許第２９６２３０７号に係る出願は、昭和６３年６月２９日に出願された特願昭６３−１６１８０１号（以下、「原原原出願」という。）の一部を平成１０年１月１２日に特願平１０−４３１０号（以下、「原原出願」という。）として新たな特許出願としたものの一部を、さらに平成１０年２月２日に特願平１０−２０８７３号（以下、「原出願」という。）として新たな特許出願としたものの一部を、さらに平成１０年２月２６日に特願平１０−４５１１０号として新たな特許出願としたものであって、平成１１年８月６日に請求項１に係る発明について特許権の設定登録がなされ、その後、その特許についてキャノン株式会社より特許異議の申立てがなされ、取消理由通知がなされ、その指定期間内である平成１２年１１月１７日に特許異議意見書の提出及び訂正請求がなされ、その後当審から審尋がなされ、特許異議申立人から平成１３年４月２日に回答書が提出された後、平成１４年７月１０日付けで取消理由を通知し、期間を指定して意見書を提出する機会を与えたが、特許権者からは何らの応答もないものである。
　
［２］訂正の適否についての判断
　１．特許権者が求めている訂正の内容は、次のとおりである。
　訂正事項ａ：特許請求の範囲の請求項１を、
　「【請求項１】印刷対象の映像が映像表示装置に表示されるプリンタのインクカセット未装着表示方法において、上記インクカセットの装着の有無を検出するステップと、上記検出結果に応じて、上記インクカセットが未装着であるときに、上記印刷対象の映像が表示される上記映像表示装置の画面上に上記インクカセットが未装着であることを示す表示を行うステップとを有することを特徴とするインクカセット未装着表示方法。」から、
　「【請求項１】印刷対象の映像が映像表示装置に表示されるプリンタのインクカセット未装着表示方法において、
上記インクカセットの装着状態の表示を行うか否かを判断するステップと、
　訂正事項ｂ：段落【０００５】（特許掲載公報第３欄第１７〜２５行）を下記の如く訂正する。
　「【０００５】【課題を解決するための手段】本発明は印刷対象の画像が画像表示装置に表示されるプリンタのインク保持手段未装着方法において、
インクカセットの装着状態の表示を行うか否かを判断するステップと、
　
　２．訂正の目的の適否、新規事項の有無及び拡張・変更の存否
　訂正事項ａは、特許明細書の段落【００３１】及び図６の記載に基づいて、「上記インクカセットの装着状態の表示を行うか否かを判断するステップと、」を追加するもので、特許請求の範囲の減縮に相当する。
　訂正事項ｂは、訂正事項ａに伴い、発明の詳細な説明の記載を、請求項１の記載との整合を図るべく訂正するものであり、明瞭でない記載の釈明に相当する。
　そして、上記訂正は、いずれも新規事項の追加に該当せず、実質的に特許請求の範囲を拡張又は変更するものではない。
　
　３．むすび
　以上のとおりであるから、上記訂正は、特許法第１２０条の４第２項及び同条第３項において準用する特許法第１２６条第２項乃至第４項の規定に適合するので、当該訂正を認める。
　
［３］特許異議申立てについての判断
　１．本件発明
　上記［２］で示したように上記訂正が認められるから、本件の請求項１に係る発明は、上記訂正明細書の請求項１に記載された次のとおりのものである。
　「【請求項１】印刷対象の映像が映像表示装置に表示されるプリンタのインクカセット未装着表示方法において、上記インクカセットの装着状態の表示を行うか否かを判断するステップと、上記インクカセットの装着の有無を検出するステップと、上記検出結果に応じて、上記インクカセットが未装着であるときに、上記印刷対象の映像が表示される上記映像表示装置の画面上に上記インクカセットが未装着であることを示す表示を行うステップとを有することを特徴とするインクカセット未装着表示方法。」（以下、「本件発明」という。）
　
　２．本件特許の出願日について
　当審が平成１４年７月１０日付けで通知した取消理由で示したように、本件特許の出願日は、原出願である特願平１０−２０８７３号の出願日である平成１０年２月２日である。
　
　３．判断
　上記平成１４年７月１０日付けの取消理由は妥当なものと認められるので、本件発明についての特許は、この取消理由によって取り消すべきである。
　以上のとおりであるから、本件発明についての特許は特許法第２９条第２項の規定に違反してされたものである。
　したがって、本件発明についての特許は、特許法第１１３条第２号に該当し、取り消されるべきものである。
　よって、結論のとおり決定する。
【異議決定日】
平成１４年１０月２５日（２００２．１０．２５）
【訂正の要旨】
訂正の要旨
　特許権者が求める特許明細書の訂正は、次の訂正からなる。
　訂正事項ａ：特許請求の範囲の請求項１を、特許請求の範囲の減縮を目的として、
　「【請求項１】印刷対象の映像が映像表示装置に表示されるプリンタのインクカセット未装着表示方法において、上記インクカセットの装着の有無を検出するステップと、上記検出結果に応じて、上記インクカセットが未装着であるときに、上記印刷対象の映像が表示される上記映像表示装置の画面上に上記インクカセットが未装着であることを示す表示を行うステップとを有することを特徴とするインクカセット未装着表示方法。」から、
　「【請求項１】印刷対象の映像が映像表示装置に表示されるプリンタのインクカセット未装着表示方法において、
上記インクカセットの装着状態の表示を行うか否かを判断するステップと、
　訂正事項ｂ：段落【０００５】（特許掲載公報第３欄第１７〜２５行）を、明瞭でない記載の釈明を目的として、下記の如く訂正する。
　「【０００５】【課題を解決するための手段】本発明は印刷対象の画像が画像表示装置に表示されるプリンタのインク保持手段未装着方法において、
インクカセットの装着状態の表示を行うか否かを判断するステップと、
（５４）【発明の名称】
インクカセット未装着表示方法
（５７）【特許請求の範囲】
　【請求項１】　印刷対象の映像が映像表示装置に表示されるプリンタのインクカセット未装着表示方法において、
上記インクカセットの装着状態の表示を行うか否かを判断するステップと、
【発明の詳細な説明】
　【０００１】
　【発明の属する技術分野】
　本発明は映像信号や各種データをプリントするプリンタ等のインクカセット未装着表示方法に係わり、特にインクリボンカセット等のインクカセットの未装着状態を、表示可能としたインクカセット未装着表示方法に関する。
　【０００２】
　【従来の技術】
　従来から、各種データや映像信号をプリントアウトするプリンタは種々のものが提案されている。例えばカラービデオプリンタではモニタテレビとカラービデオプリンタは互いに接続されてプリント内容はモニタテレビに映出されると共にプリンタの各種メッセージはプリンタに配設したＬＥＤ等を点灯させることで操作者にプリンタの動作状態等を知らせていた。例えば、プリンタ側でプリント指示釦を押圧すると、モニタテレビはプリンタ内のメモリに格納されているプリント画像信号をモニタ出来る構成と成されて、例えば、プリントアウトするときにはプリント釦を押圧すれば、メモリに格納されていたプリント画像信号がプリントアウトされるが、プリント中の表示はプリンタに配設したプリント中のＬＥＤが点灯する様に成されている。
　【０００３】
　【発明が解決しようとする課題】
　従来構成のプリンタによると、プリンタの動作状態或は操作状態を操作者側にきめ細かく知らせることが出来ないため、特にインクリボン装着不良、即ち、インクカセット未挿着が生じても、プリント紙の排出が行なわれて、無駄なプリントを行う問題があった。
　【０００４】
　本発明は叙上の問題点に鑑み成されたもので、発明が解決しようとする課題はプリンタ映像等を表示する表示手段にインクリボンカセットの未装着状態のメッセージを表示させることで使用者が操作し易いインクカセット未装着表示方法を提供しようとするものである。
　【０００５】
　【課題を解決するための手段】
　本発明は印刷対象の映像が映像表示装置に表示されるプリンタのインクカセット未装着表示方法において、
インクカセットの装着状態の表示を行うか否かを判断するステップと、
　【０００６】
　本発明のプリンタのインクカセットの未装着表示方法ではインクカセットの未装着状態が未装着であることのメッセージがプリンタ映像を表示する表示手段に表示されて、インクリボンカセットの装着状態を使用者に知らせることが出来るので、使用者にとって、使い勝手のよいインクカセット未装着表示方法が得られる。
　【０００７】
　【発明の実施の形態】
　以下、本発明のビデオプリンタを図面によって詳記する。
　【０００８】
　本例のプリンタ、例えばカラービデオプリンタに於ける構成を図１及び図２に示す。図１で１はカラービデオプリンタであり、プリント操作はキー装置２で行なわれる。このキー装置２には大きく分けてメモリに関係する操作部２ａとプリントに関する操作部２ｂと、プリント画の画質・色調の調整部２ｃと、入力選択釦２ｄより成るが、これら詳細は動作説明と共に図２で後述する。
　【０００９】
　３はモニタテレビでカラービデオプリンタ１に接続され、再生している画像と、プリントする画像を見ることが出来、且つカラービデオプリンタ１からの各種メッセージを表示させることが出来る様に成されている。又、４はプリントしたい信号源を再生、撮像するビデオ機器でカラービデオプリンタ１に接続されている。
　【００１０】
　カラービデオプリンタ１に接続出来るビデオ機器としてはＮＴＳＣコンポジットビデオ信号を出力するＶＴＲ、ビデオカメラ、ビデオディスクプレーヤ、静止画伝送機器、Ｓ映像信号出力を持ったＶＴＲ、コンポーネント信号（色差信号）の出力を持ったＶＴＲ、静止画像記録用の所謂スチールカメラ、静止画伝送機並びにＲ（赤）、Ｇ（緑）、Ｂ（青）信号出力を持ったパーソナルコンピュータ、静止画伝送機器等がある。
　【００１１】
　５はビデオ機器に接続されたモニタテレビであり、ビデオ機器４の再生画像を常時モニタすることが出来る。
　【００１２】
　上述構成のカラービデオプリンタ１で画像をプリントする場合には、カラービデオプリンタ１のカバー１ａを開いてインクリボンカセットを挿入し、更に給紙トレー１ｂにプリント紙又はオーバーヘッドプロジェクタ（以後ＯＨＰと記す）用のシートを挿入して、モニタテレビ３及びカラービデオプリンタ１の電源スイッチ１ｃを“オン”状態とし、キー装置２の入力選択釦２ｄを押圧し、入力信号を選択すると入力の画像信号がモニタテレビ３に映出される。
　【００１３】
　しばらくすると入力信号の表示が消えるようになっている。次にプリントしたい画面がモニタテレビ３に現れたら、図２で示すメモリイン釦２ａ１を押圧すると、メモリに画像が記憶される。次にキー装置２中のプリント釦２ｂ１を押圧すれば、カラービデオプリンタ１からはプリント画がプリントアウトされる。
　【００１４】
　更に、クリヤ釦２ａ２を押圧すればメモリに格納されていたプリント画像情報がクリヤされる。尚、２ｂ２はプリントを途中で止めるプリント停止釦、２ｂ３はプリントのメモリ画像と入力中の画像とを切換える入力／メモリ切換釦を示している。
　【００１５】
　図３は本例の系統図であり、例えばカラービデオプリンタ１から成る印字装置はキー装置２とマイクロコンピュータ６及びＲＡＭ１２、ＲＯＭ１３等のメモリ並びにカラービデオプリンタの印字手段であるメカ部１０、ヘッド制御部１１、プリント画像用メモリ９（ＲＡＭ１２と兼用してもよい）を有するＣＲＴコントロール部７等で構成され、ビデオ機器４からの画像信号はマイクロコンピュータ６の入カインターフェース等の入力手段６ａに入力され、マイクロコンピュータ６に供給される。
　【００１６】
　マイクロコンピュータ６の表示出力はＣＲＴコントロール部７を通してモニタテレビ３に供給され、ＣＲＴ上に入力画像信号或はプリント画像用メモリ９に格納された画像信号を映出させる。
　【００１７】
　マイクロコンピュータ６とプリント画像用メモリ９、メカ部１０、ヘッド制御部１１、ＲＡＭ１２、ＲＯＭ１３、キー装置２並びにＣＲＴコントロール部７間は互いにデータバス或はコントロールバスを通じて接続されている。
　【００１８】
　本例では、マイクロコンピュータ６がＣＲＴコントロール部７を介して、各種メッセージ用の信号を出力し、モニタテレビ３の画面上に各種メッセージを表示する。この表示を使用者がみてキー装置２の適当な押釦を押圧すると、その押釦に応じたメッセージを再びＣＲＴコントロール部７に、出力し、ＣＲＴコントロール部７がモニタテレビ３に対応メッセージを表示させると共に押釦の命令をマイクロコンピュータは実行する様に各部に制御信号を出力する。
　【００１９】
　本例のプリンタではフルプリント画像を得る等の各種動作及びその表示をモニタテレビのＣＲＴ上に行なうことが出来るが、これら、動作のうちの代表的な動作表示を図４乃至図９の流れ図と表示例によって説明する。
　【００２０】
　図４はフレーム又はフィールド選択表示の流れ図である。一般にフル画面でプリントする場合に早く動いている映像を記憶させると画像がぶれてしまうことがあるので図２に示すフレーム／フィールド釦２ａ３を押圧すると、フレームモードからフィールドモードに変わって、モニタテレビ３の画面上に映出される画面のずれが止まる様になっている。
　【００２１】
　図３に示すプリント画像用メモリ９は最低１フレーム分の画像を記憶する容量を有し、フレーム／フィールド釦２ａ３の押圧でプリント画像メモリ９を１画面として利用する場合と、２枚に分けて使う場合に使い分ける様になされている。
　【００２２】
　今、図３のキー装置２のフレーム／フィールド釦２ａ３が操作されたときの動作を図４で説明すると、マイクロコンピュータ６は第１ステップＳ１でフレーム／フィールド釦２ａ３が“オン”されたか否かを判断し、ＮＯであれば第１ステップＳ１に戻るがフレーム／フィールド釦２ａ３が押圧されていれば次の第２ステップで現在はフレームモードか否かをマイクロコンピュータ６は判断する。
　【００２３】
　フレームモードでなければマイクロコンピュータ６はＣＲＴコントロール部７を介してモニタテレビ３のＣＲＴ画面の下端に第３ステップＳ３に示す様に第１フィールドモードと第２フィールドモード即ちメモリページを表す記号「１Ａ１Ｂ」の間を離れて表示する。
　【００２４】
　又、第２ステップＳ２がフレームモードであれば第４ステップＳ４に示す様に「１Ａ１Ｂ」は接近した状態で表示され、第３及び第４ステップＳ３，Ｓ４後は第１ステップＳ１に戻る動作が行なわれる。
　【００２５】
　図５Ａはプリント画像メモリ９に記憶されるフレームモード画像１４及び第１及び第２のフィールドモードの模式的画像１５，１６を、図５Ｂはフレームモード１４での「１Ａ１Ｂ」の表示１７を示し、この場合は１Ａと１Ｂ間が接近表示された例を示し、第１及び第２のフィールドモード１５，１６では「１Ａ　１Ｂ」の表示１８，１９は１Ａと１Ｂ間が離れて表示される。
　【００２６】
　尚、図５Ｂで第１のフィールドモード１５を選択するか、第２のフィールドモード１６を選択するかは図２のメモリページ釦２ａ４の押圧によって行なわれる。
　【００２７】
　又、図５Ｂでプリントされているメモリページは四角で囲われ、現在選択されていれば赤で表示し、印字中であれば点滅する様になされる。又Ｑ１はプリント枚数で例えば、必要なプリント枚数が５枚必要な場合は図２に示すプリント量釦２ｂ４のプラス釦を５回押せばモニタテレビ３の表示枚数はＱ１→Ｑ２→Ｑ３→Ｑ４→Ｑ５と変化するマイナス釦を押せば減算される。
　【００２８】
　尚、図５ＢのＭはプリント画像用メモリ９にメモリされている画像を示すものでビデオ機器からの入力画像のときはＩを表示する。
　【００２９】
　図６はインクリボンの残量を表示するための流れ図である。
　【００３０】
　図１でカバー１ａを開いて、インクリボンカセットを挿入し、１枚のプリントをとるとリボン残量表示が行なわれる。即ち、図２の残りリボン釦２ｂ５を押している間、モニタテレビ３にはリボンの種類と残り枚数が表示される。例えばリボンの種類がカラーで残り枚数が９９枚であれば「ＣＯＬＯＲ　ＲＩＢＢＯＮ　９９」の如き表示がＣＲＴ画面の中央に出る。
　【００３１】
　この様なリボン残量を表示するフローを図６で説明する。図６で第１ステップＳＴ１では残りリボン釦２ｂ５が“オン”か否かをマイクロコンピュータ６は判断する。ＮＯであれば第１ステップＳＴ１を繰り返すが“オン”されていれば、第２ステップＳＴ２では現在どんなリボンが掛かっているかをみる。
　【００３２】
　リボンの種類は白黒リボン、カラーリボン、ＯＨＰリボンの３種類か、リボンが掛かっていない場合の４種類であり、マイクロコンピュータ６はこれら４通りを選別出来る様に成されている。リボンがカバー１ａ内に完全に挿入されていれば白黒、カラー、ＯＨＰリボンの夫々の場合に第３ステップＳＴ３で何枚残っているかをメモリから読み出し、白黒リボンの場合は第４ステップＳＴ４に示す様に、「Ｂ／Ｗ　ＲＩＢＢＯＮ　９９」の様な表示を、同様にカラーリボンの場合は第５ステップＳＴ５に示す様に「ＣＯＬＯＲ　ＲＩＢＢＯＮ　９９」の様な表示を、ＯＨＰリボンの場合は第６ステップＳＴ６に示す様に、「ＯＨＰ　ＲＩＢＢＯＮ　９９」の様な表示が夫々モニタテレビ３のＣＲＴ画面になされる。
　【００３３】
　又、カセットがカバー１ａ内に挿入されていない場合は「ＮＯ　ＣＡＳＳＥＴＴＥ」を表示する（第７ステップＳＴ７）。これら所定の表示が行なわれた後に残りリボン釦２ｂ５が“オフ”になったか否かをマイクロコンピュータ６は第８ステップＳＴ８で判断し、ＮＯであれば第８ステップＳＴ８を繰り返し判断するが、ＹＥＳであればモニタテレビ３のＣＲＴ画面上の上述の各表示を第９ステップＳＴ９に示す様に消すことで第１ステップＳＴ１に戻される。
　【００３４】
　次に図７及び図８の流れ図について説明する。図２でプリント画の画質、色調を調整する調整部２ｃ内の例えば、グレースケール釦２ｃ１ではプリントされるべき画像とモニタテレビ３のＣＲＴ画面の色合わせを行なうことが出来る。
　【００３５】
　又、シャープネス釦２ｃ２を押圧すればプリント画の画質は低「Ｌ」、中「Ｍ」、高「Ｈ」に順次切り換えることが出来る。「Ｌ」の場合は画像の輪郭がぼけ、「Ｈ」では輪郭は強調され、「Ｍ」では中間の値を保つ様に成されている。
　【００３６】
　図７乃至図９に示す流れ図はサービスマンがプリンタを修理するモードで用いるもので、キー装置２に操作対応釦は設けられていないが、図７に示すプリント枚数を表示させる流れ図では第１ステップＳＴＥ１で上述のシャープネス釦２ｃ２とグレースケール釦２ｃ１とを同時に押圧した時に、プリント枚数を表示するメッセージをモニタテレビ３に表示させる様にする。
　【００３７】
　図７の第１ステップＳＴＥ１で２つの押釦が同時に“オン”が否かをマイクロコンピュータ６が判断し、ＮＯであれば第１ステップＳＴＥ１に戻るが、ＹＥＳであれば第２ステップＳＴＥ２では不揮発性のメモリに書かれている、プリント枚数を読み込む。
　【００３８】
　第３ステップＳＴＥ３ではＣＲＴコントロール部７を介してモニタテレビ３のＣＲＴ画面に読み込んだ内容を「６５５３６　ＰＲＩＮＴＳ」の様に今まで何枚プリントされたかを表示している。
　【００３９】
　図８はプリンタ内に用いられている各種センサのレベルを表示させ様とするもので、第１ステップＳＴＥＰ１では図７と同様に、所定の約束で定めた２つの押釦が同時に押圧されたか否かをマイクロコンピュータ６は判断する。
　【００４０】
　ＮＯであれば第１ステップＳＴＥＰ１に戻し、ＹＥＳであれば第２ステップＳＴＥＰ２で各種のセンサのレベルを読み込む。
　【００４１】
　次に第３ステップＳＴＥＰ３では読み込んだレベルをＣＲＴコントロール部７を介してモニタテレビ３に表示する。表示内容はセンサ名、センサの基本特性がＨかＬか、現在の極性がＨかＬか等であり、例えば、「ＥＤＧＥ〔Ｈ〕Ｌ」の様に表示する。この様にすると各種のセンサのレベルを何の測定器もなく、みることが出来る。
　【００４２】
　図９の実施例は各種エラーの表示を行なうもので各種エラー表示としては種々のものがあるが、リボンが無くなったことを知らせる「エンド　オブ　リボン」表示、インクリボンカセットがカバー１ａ内に正しく差し込まれていないことを知らせる「インサートリボン」表示、紙づまりであることを知らせる「フィードエラー」表示、給紙トレーが正しく差し込まれていないことを知らせる「インサートトレー」表示、選択されている入力からは現在信号が入っていないことを知らせる「ノーインプット」表示、プリント紙が途中に残っていることを知らせる「プリーズ　ウェイト」表示、紙づまりを知らせる「プロセスエラー」表示、リボンが切れ或はからまったことを知らせる「リボンエラー」表示、トレー中のプリント紙が表裏逆であることを知らせる「ターンペーパオーバ」表示、プリント紙がないことを知らせる「ノペーパ」表示等がある。
　【００４３】
　図９はこの様なエラー表示を示すフローであり、第１ステップＳＴＥＰ１ａでは各種エラーセンサでエラーが発生したか否かをマイクロコンピュータ６は判断する。ＮＯであれば第１ステップＳＴＥＰ１ａに戻るがＹＥＳであれば第２ステップＳＴＥＰ２ａでモニタテレビ３にＣＲＴコントロール部７を通じてエラーに応じた例えば、プリント紙がないときには「ＮＯ　ＰＡＰＥＲ」の表示が行なわれ、第３ステップＳＴＥＰ３ａでマイクロコンピュータ６は各種のエラーが解除されたか否かを判断し、ＮＯであれば第３ステップＳＴＥＰ３ａに戻るが、ＹＥＳであれば第１ステップＳＴＥＰ１ａに戻す。
　【００４４】
　この様に故障状態の表示が使用者に直ちに解るので、使用者は、エラー対応を迅速に行なうことが出来る。
　【００４５】
　尚、本発明のカラープリンタでは叙上に説明しない、例えば入力されている画像信号がＮＴＳＣコンポジットか、コンポーネント信号か或はＲＧＢ信号なのか等の表示や、画面の色調整表示等も行なわれている。
　【００４６】
　叙上の実施例の表示方法は、その１例を示したもので各種表示方法でモニタテレビ３のＣＲＴ画面に表示することが出来ることは勿論である。又、モニタテレビ３とカラービデオプリンタ１並びにキー装置２を別体に構成した例を説明したが、これらをプリンタ１内に一体化する等、上述の各実施例に限定されることなく、本発明の要旨を逸脱しない範囲で種々に変形することが出来る。
　【００４７】
　【発明の効果】
　本発明のプリンタ等のインクカセット未装着表示方法によれば、プリントすべき映像を表示するモニタテレビ上に使用者との間の各種メッセージを表示するので極めてスムーズにプリンタと操作者間で種々のコミュニケーションを計ることが出来る。特にインクリボンカセット等のインクカセットの未装着状態が表示されるので使い勝手のよいインクカセット未装着表示方法が得られ、然もＬＥＤ等の表示部品を必要としないためにプリンタ構成を単純、廉価にすることが出来る効果を有する。
【図面の簡単な説明】
　【図１】　本発明のプリンタの構成配置図である。
　【図２】　本発明のプリンタのキー装置の一形態例を示す配置図である。
　【図３】　本発明のプリンタの一形態例を示す系統図である。
　【図４】　本発明のプリンタのフレーム又はフィールド選択表示の流れ図である。
　【図５】　本発明のプリンタの画面表示例を示すＣＲＴ正面図である。
　【図６】　本発明のプリンタのリボン残量を表示する流れ図である。
　【図７】　本発明のプリンタのプリント枚数を表示する流れ図である。
　【図８】　本発明のプリンタのセンサレベルを表示する流れ図である。
　【図９】　本発明のプリンタの各種エラーを表示する流れ図である。
　【符号の説明】
　１・…カラービデオプリンタ
　２…・キー装置
　３，５…・テレビモニタ
　４…・ビデオ機器
　９…・プリント画像用メモリ